(57)【要約】【課題】従来、畝を立てた圃場を除草する除草機は、畝上若しくは畝溝の一方だけを除草するものであったので、何度も圃場を往復する必要が生じ、作業性が悪いという課題が有った。【解決手段】除草機（１０）には、畝溝に位置させて回転することで畝溝に生える雑草類を引き抜きまたは根元から掘削して除草する除草ローラ（２，２）を備える。前記除草ローラ（２）の回転軸（８ａ）の外方には、畝上面に位置させて突起片（１８）にて畝上面に生える雑草類を絡め取る回転体（１６）を突設する。また前記回転体を、線杆又は帯板を螺旋状に巻いた螺旋体にて構成する。【選択図】図３
2006271310.tif 000002
【特許請求の範囲】
【請求項１】
畝溝に位置させて回転することで畝溝に生える雑草類を引き抜きまたは根元から掘削して除草するローラ部材（２）を備えた除草機であって、前記ローラ部材（２）の回転軸（１１）の外方には、畝上面に位置させて畝上面に生える雑草類を絡め取る回転部材（１６）を突設したことを特徴とする除草機。
【請求項２】
前記回転部材は、線杆又は帯板を螺旋状に巻いた螺旋体（１９）にて構成したことを特徴とする請求項１に記載の除草機。
【発明の詳細な説明】
【技術分野】
【０００１】
この発明は、圃場の畝に沿って転回させながら雑草を除草する除草機の構成に関する。
【背景技術】
【０００２】
従来、畝を立てた圃場を除草する除草機には、特開２０００−３１６３０９号公報に示されるように、籠型のローラを接地回転させて、ローラ外周部を構成する多数の棒材により表土を浅く掘削することで、雑草を根元から引き抜き除草するものが知られている。
【特許文献１】特開2000-316309号公報
【発明の開示】
【発明が解決しようとする課題】
【０００３】
しかしながら、前記従来の除草機は、極く低い畝を立てた畑地、或は平坦な圃場での除草には適しているものの、例えばローラの軸芯近くにまである高い畝を立てた圃場では、畝上の除草ができなかった。
【０００４】
この発明の課題は、上記のような高い畝に対しても、畝上部の除草作業が容易に行える除草機を具現せんとするものである。
【課題を解決するための手段】
【０００５】
この発明は、上記課題を解決すべく次のような技術的手段を講じた。
即ち、請求項１記載の発明は、畝溝に位置させて回転することで畝溝に生える雑草類を引き抜きまたは根元から掘削して除草するローラ部材（２）を備えた除草機であって、前記ローラ部材（２）の回転軸（８ａ）の外方には、畝上面に位置させて畝上面に生える雑草類を絡め取る回転部材（１６）を突設したことを特徴とする除草機とした。
（請求項１の作用）
以上のように構成した請求項１の除草機では、ローラ部材（２）を畝（Ｕ）間の畝溝に沿って回転させると、ローラ部材（２）の外周部が畝溝に生える雑草（ｇ）類を引き抜きまたは根元から掘削して除草し、畝上面に位置させた回転部材（１６）により畝上面に生える雑草（ｇ）を絡め取って除草する。
【０００６】
また請求項２記載の発明では、前記回転部材は、線杆又は帯板を螺旋状に巻いた螺旋体（１９）にて構成したことを特徴とする請求項１に記載の除草機とした。
（請求項２の作用）
以上のように構成した請求項２の除草機では、畝（Ｕ）上面で、螺旋体（１９）を回転させることにより、絡めた雑草（ｇ）を螺旋による左右方向の送り機能を働かせながら引き抜く。
【発明の効果】
【０００７】
請求項１の発明によれば、ローラ部材（２）の回転により、畝溝に生えた雑草（ｇ）を除草することができる上、ローラ部材（２）の回転軸（１１）外側方に回転体（１６）を突設し同時に回転することで、畝（Ｕ）上に生えた雑草（ｇ）も除草することができるので、作業効率が良い。
【０００８】
また請求項２の発明によれば、上記回転体を螺旋体（１９）にて構成しているので、螺旋に絡めた雑草（ｇ）を螺旋の回転によって左右一方向に移動させるので、請求項１の回転部材（１６）に増して除草効果が向上する。
【発明を実施するための最良の形態】
【０００９】
以下、図面に基づいて、この発明を畑地管理用の高床トラクター（以下、乗用管理機）に備えた構成について説明する。
図１と図２は、乗用管理機を示すものであり、車体１の前部に左右前輪２，２を備え、車体後部に左右後輪３，３を備えている。車体前部のボンネット４内にエンジンＥを搭載し、このエンジンＥの回転動力をミッションケース内の変速装置に伝え、この変速装置で減速された回転動力を前記前後輪２，３に伝えて走行する構成となっている。
【００１０】
また側面視、前記前後輪２，３間のステップフロア３８，３８上には、操縦席５が設置され、操縦席５の前方には左右前輪２，２及び左右後輪３，３を操向操舵するステアリングハンドル６が設けられている。そして、車体１後部には、作業機リンク機構Ｒを介して、この発明の除草機（以下、除草ロータ１０）を昇降自在に備える構成となっている。
【００１１】
除草ロータ１０は、図３に示すように、左右方向のツールバー４８に支持されたチェーンケース７と、このチェーンケース７下部で回転駆動される駆動軸８ａ及び同軸８ａに着脱自在に取り付ける筒状のロータ軸１１と、ロータ軸１１に軸受保持された内外のリング部材１２，１２と、左右のリング部材１２，１２間にわたって横方向に連結された複数の除草ブレード１３，１３…と、前記外側のリング部材１２の外側部に突設する筒状の回転体１６等から構成され、前記ツールバー４８に対し、畝Ｕの間隔に合わせて複数備える構成となっている。尚、図例では３基の除草ロータ１０，１０，１０を前記リンク機構Ｒにツールバー４８を介して昇降自在に取り付ける構成となっている。また前記各除草ブレード１３の外側部は、畝の形状に合わせて湾曲した形状となっている。
【００１２】
また前記ロータ軸１１は、乗用管理機のＰＴＯ軸の回転動力を前記チェーンケース７内の伝動チェーン９に伝達し、同チェーン９の回転を、ケース７下部中央の駆動スプロケット８及びこれと一体の駆動軸８ａに伝達して駆動する構成となっている。
【００１３】
また図４に示すように、前記除草回転体１６は、第１実施例として、前記外側のリング部材１２を支持するアームに対して取り付けるブラケット２１と、同ブラケット２１に取り付けられ前記除草ロータ１０の軸１１と同一軸芯外方に突設する筒状のドラム１７と、このドラム１７の外周にスパイラル状に複数配置した突起片１８，１８…とから構成されている。
【００１４】
以上のように構成した除草ロータ１０では、前記ロータ２を畝溝に位置させ、ドラム１７を畝Ｕの上面に位置させて前記ロータ軸１１及びブレード１３と共に回転させながら移動することで、除草ブレード１３によって畝溝の表土を浅く掘削して雑草ｇを除草すると共に、外周の突起片１８，１８…により畝Ｕ上の雑草ｇを巻き付けて除草する。
【００１５】
これにより、圃場に立てた畝Ｕの上面と畝溝間に生えた雑草を同時に除草することができるので作業効率が良い。また前記突起片１８をドラム面に対しスパイラル状に配置したので、絡めた雑草を横方向に移動させて引き抜くので、除草効果を向上することができる。
【００１６】
尚、上記形態では、前記ドラム１７及びこれに取り付ける突起片１８は、ゴム等の弾性部材で構成されており、雑草ｇ類を巻き付け易い上、畝Ｕ面を削ることが無い。また、根付かせた植付作物Ｇに触れても弾性変位するので作物を傷めることが無い。
【００１７】
また第２実施例としては、図５と図６に示すように、除草回転体１６を線状部材を螺旋状に巻いた螺旋体１９にて構成する構成となっている。
これにより、前記効果に加え、螺旋体１９の回転で左右方向の送り機能が働き、左右一方、詳しくは外方向への雑草排除を促進することで除草ロータ１０内への雑草の進入を防止し、作業後の清掃作業を省力化することができる。
【００１８】
また前記螺旋体１９の外側部は、図のように中空部に構成されるので、螺旋体１９自体の雑草の絡み付きを極力防ぐことができる。
尚、前記螺旋体１９は、これを取り付ける支持筒２０及び前記同様のブラケット２１を介して前記外側のリング部材１２のアーム装着する構成となっており、位置及び径等は、第１実施例の回転体１６と同様である。
【００１９】
次に、前記除草ロータ１０の全体構成について詳細に説明する。
図７と図８に示すように、除草ロータ１０の前方には、チェーンケース７を挟む左右の除草ロータ１０，１０間への雑草の侵入を防ぐ分草体２２を備えている。分草体２２の支持ステー２３は、前記チェーンケース７の下部にボルトにて着脱自在に装着している。従って、この分草体２２によって畝間の雑草ｇが外側に押しのけられるため、除草効果が向上し、特に、チェーンケース７の下部付近には雑草ｇが溜らなくなるため、除草ロータ１０による除草効果をより良く高めることができる。
【００２０】
また図９と図１０は、別形態の除草ロータ１０を示す図であり、ローラ２上方を覆うカバー２５内の除草ロータ１０後方に、下端に鋭利な刃部２４ａを有するスクレーパ２４を設ける構成としている。
【００２１】
これにより、草の切断不良で除草ロータ内部へ巻き込まれていく残葉をスクレーパ２４の刃部２４ａにて切除し、ロータへの絡み付きを防止することができる。
また図１０に示すように、リング部材１２と軸受ボス部１４を結ぶスポーク部材１５及びチェーンケース７には、該スポーク部材１５とチェーンケース７との間に草が入り込むのを防止する草侵入防止具３０，３１を設けている。一方の草侵入防止具３０はスポーク部材１５と一体構成であり、他方の草侵入防止具３１はチェーンケース７の締付ボルト３２によって共締めする構成としている。
【００２２】
従来では除草ブレードに草が絡んだとき、排出できずに除草ブレードとチェーンケースとの間に草が絡み込んで過負荷となり、能率低下を招くものであったが、本例では上記構成により解消することができる。
【００２３】
次に、前記乗用管理機の構成について図面に基づいて説明する。
前記乗用管理機では、図１１に示すように、静油圧式無段変速装置Ｔのオイルタンク３６を本機メインフレーム３７，３７の右側下部に設置し、このオイルタンク３６の外側方で、且つ、ステップフロア３８の外側方に突設するサブステップ３９，３９の内側にブラケット４１ａを介してバッテリ４０を支持する構成となっている。バッテリ４０の上部にはバッテリカバー４１ｂを備える構成としている。従来はバッテリをメインフレーム３７の下部に設置していた為、メンテナンスが容易ではなく、作業の能率低下を招いていたが、本例ではバッテリ４０をサブステップ３９，３８の上部に設置することで、このバッテリ位置が機体の最外側位置にあたることからメンテナンス作業が容易に行なえ、作業者の負担軽減を図ることができる。
【００２４】
また図１２〜図１４は、前記除草ロータ１０に代えて取り付ける水田用の除草機を示すもので、株間の水田面に接地して転回移動しながら外周の爪４３ａによって除草する水田除草ロータ４３と、株際に左右から接近し株元近くの草を取り除く株際除草輪４４，４４などからなるように構成している。特に、前記株際除草輪４４，４４は、円錐形のドラム４５と、該円錐ドラム４５の外周に所定空間Ｓを隔てて張設する除草網（金網）４６とからなり、そして、これら左右一対の株際除草輪４４，４４を正面視で逆ハの字状に配設すると共に、株際を接地転回移動させながら除草網４６によって株際の草を掻き取るように構成している。尚、符号４７は圃場に突き刺すスパイク、４８はツールバー、４９は軸受支持杆を示す。
【図面の簡単な説明】
【００２５】
【図１】乗用管理機の側面図。
【図２】同上平面図。
【図３】除草作業機の要部の正面図。
【図４】除草回転体の斜視図。
【図５】除草作業機の要部の正面図。
【図６】除草回転体の正面図。
【図７】除草作業機の側面図。
【図８】分草体の平面図。
【図９】除草作業機の要部の側面図。
【図１０】除草作業機の要部の正面図。
【図１１】（Ａ）ステップ近傍の正面図。（Ｂ）ステップ近傍の平面図。（Ｃ）ステップ近傍の側面図。
【図１２】水田用除草機の側面図。
【図１３】株際除草輪の斜視図。
【図１４】（Ａ）水田用除草機の背面図。（Ｂ）水田用除草機の平面図。
【符号の説明】
【００２６】
２    ローラ
８    スプロケット
８ａ  駆動軸
１０    除草機（除草ロータ）
１１    ロータ軸
１２    リング部材
１３    除草ブレード
１６    （除草）回転体
１７    ドラム
１８    突起片
１９    螺旋体
【図１】
2006271310.tif 000003
【図２】
2006271310.tif 000004
【図３】
2006271310.tif 000005
【図４】
2006271310.tif 000006
【図５】
2006271310.tif 000007
【図６】
2006271310.tif 000008
【図７】
2006271310.tif 000009
【図８】
2006271310.tif 000010
【図９】
2006271310.tif 000011
【図１０】
2006271310.tif 000012
【図１１】
2006271310.tif 000013
【図１２】
2006271310.tif 000014
【図１３】
2006271310.tif 000015
【図１４】
2006271310.tif 000016